【手続補正書】
【提出日】平成22年2月22日(2010.2.22)
【手続補正１】
【補正対象書類名】明細書
【補正対象項目名】００２２
【補正方法】変更
【補正の内容】
【００２２】
図１に示すように、無線アクセスネットワーク（ＲＡＮ：Ｒａｄｉｏ  Ａｃｃｅｓｓ  Ｎｅｔｗｏｒｋ）は、複数のｅＮＢと、ｅＮＢが接続する経路制御装置（コアノード）ＭＭＥ/ＳＡＥ  Ｇａｔｅｗａｙとによって構成されている。
【手続補正２】
【補正対象書類名】明細書
【補正対象項目名】００３０
【補正方法】変更
【補正の内容】
【００３０】
有線伝送部１１は、Ｘ２インタフェースを介して、他の無線基地局ｅＮＢ（ハンドオーバ元の無線基地局Ｓｏｕｒｃｅ  ｅＮＢ）から送信されたユーザデータＡ（第１のユーザデータ）を、データ格納部１３のＸ２インタフェース用バッファに格納するように構成されている。
【手続補正３】
【補正対象書類名】明細書
【補正対象項目名】００３７
【補正方法】変更
【補正の内容】
【００３７】
ここで、所定トリガとしては、無線基地局ｅＮＢのハンドオーバ制御部１０が、経路制御装置ＭＭＥ/ＳＡＥ  Ｇａｔｅｗａｙに対してユーザデータの転送経路を切り替えるように要求する経路切替要求を送信すること、具体的には、経路制御装置ＭＭＥ/ＳＡＥ  Ｇａｔｅｗａｙとの間で、Ｕプレーントンネル（ＧＴＰトンネル）を設定するための設定要求である「Ｐａｔｈ  Ｓｗｉｔｃｈ」メッセージを送信すること、或いは、ＳＡＥアクセスベアラを設定するための設定要求である「Ｈａｎｄｏｖｅｒ  Ｃｏｍｐｌｅｔｅ」メッセージを送信すること等が想定されている。
【手続補正４】
【補正対象書類名】明細書
【補正対象項目名】００５５
【補正方法】変更
【補正の内容】
【００５５】
なお、経路制御装置ＭＭＥ／ＳＡＥ  Ｇａｔｅｗａｙは、ハンドオーバ先の無線基地局Ｔａｒｇｅｔ  ｅＮＢから送信された「Ｐａｔｈ  Ｓｗｉｔｃｈ」メッセージを受信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替える。
【手続補正５】
【補正対象書類名】明細書
【補正対象項目名】００５６
【補正方法】変更
【補正の内容】
【００５６】
また、経路制御装置ＭＭＥ／ＳＡＥ  Ｇａｔｅｗａｙは、ハンドオーバ先の無線基地局Ｔａｒｇｅｔ  ｅＮＢから送信された「Ｈａｎｄｏｖｅｒ  Ｃｏｍｐｌｅｔｅ」メッセージを受信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替えるように構成されていてもよい。
【手続補正６】
【補正対象書類名】明細書
【補正対象項目名】００５７
【補正方法】変更
【補正の内容】
【００５７】
ステップＳ１００９において、経路制御装置ＭＭＥ/ＳＡＥ  Ｇａｔｅｗａｙは、ハンドオーバ先の無線基地局Ｔａｒｇｅｔ  ｅＮＢに対して、Ｓ１インタフェース上のシグナリング（Ｓ１-Ｃ）を用いて、ＳＡＥアクセスベアラの設定が完了したことを通知する「Ｈａｎｄｏｖｅｒ  Ｃｏｍｐｌｅｔｅ  Ａｃｋ」メッセージを送信する。
【手続補正７】
【補正対象書類名】明細書
【補正対象項目名】００５８
【補正方法】変更
【補正の内容】
【００５８】
上述のように、経路制御装置ＭＭＥ／ＳＡＥ  Ｇａｔｅｗａｙが、ハンドオーバ先の無線基地局Ｔａｒｇｅｔ  ｅＮＢから送信された「Ｐａｔｈ  Ｓｗｉｔｃｈ」を受信した場合に、移動局ＵＥ宛てのユーザデータＢ（第２のユーザデータ）をハンドオーバ先の無線基地局Ｔａｒｇｅｔ  ｅＮＢに送信する可能性があるので、経路制御装置ＭＭＥ/ＳＡＥ  Ｇａｔｅｗａｙに対して「Ｐａｔｈ  Ｓｗｉｔｃｈ」メッセージが送信されたことを契機として、ハンドオーバ先の無線基地局Ｔａｒｇｅｔ  ｅＮＢは、経路制御装置ＭＭＥ/ＳＡＥ  ＧａｔｅｗａｙからのユーザデータＢ（第２のユーザデータ）を一時的にバッファリングできる状態に遷移する必要がある。
【手続補正８】
【補正対象書類名】明細書
【補正対象項目名】００６０
【補正方法】変更
【補正の内容】
【００６０】
また、ステップＳ１０１１において、ハンドオーバ先の無線基地局Ｔａｒｇｅｔ  ｅＮＢは、起動した待合せ時間（Ｔｒｅｏｒｄｅｒｉｎｇ）用タイマが満了したことを契機として、ハンドオーバ元の無線基地局Ｓｏｕｒｃｅ  ｅＮＢに対して、Ｘ２インタフェース上で設定されているＵプレーントンネルの解放を要求する「Ｒｅｌｅａｓｅ  Ｒｅｓｏｕｒｃｅ」メッセージを送信する。
【手続補正９】
【補正対象書類名】明細書
【補正対象項目名】００６５
【補正方法】変更
【補正の内容】
【００６５】
上述のように、経路制御装置ＭＭＥ／ＳＡＥ  Ｇａｔｅｗａｙが、ハンドオーバ先の無線基地局Ｔａｒｇｅｔ  ｅＮＢから送信された「Ｈａｎｄｏｖｅｒ  Ｃｏｍｐｌｅｔｅ」を受信した場合に、移動局ＵＥ宛てのユーザデータＢ（第２のユーザデータ）をハンドオーバ先の無線基地局Ｔａｒｇｅｔ  ｅＮＢに送信する可能性があるので、経路制御装置ＭＭＥ/ＳＡＥ  Ｇａｔｅｗａｙに対して「Ｈａｎｄｏｖｅｒ  Ｃｏｍｐｌｅｔｅ」メッセージが送信されたことを契機として、ハンドオーバ先の無線基地局Ｔａｒｇｅｔ  ｅＮＢは、経路制御装置ＭＭＥ/ＳＡＥ  ＧａｔｅｗａｙからのユーザデータＢ（第２のユーザデータ）を一時的にバッファリングをできる状態に遷移する必要がある。
【手続補正１０】
【補正対象書類名】明細書
【補正対象項目名】００６８
【補正方法】変更
【補正の内容】
【００６８】
図５に示すように、第３の例では、ステップＳ３００７Ａにおいて、「Ｈａｎｄｏｖｅｒ  Ｃｏｎｆｉｒｍ」メッセージを受信したハンドオーバ先の無線基地局Ｔａｒｇｅｔ  ｅＮＢは、経路制御装置ＭＭＥ/ＳＡＥ  Ｇａｔｅｗａｙに対して、Ｓ１インタフェース上のＧＴＰ-ｕ（Ｓ１-Ｕ）を用いて、「Ｐａｔｈ  Ｓｗｉｔｃｈ」メッセージを送信する。
【手続補正１１】
【補正対象書類名】明細書
【補正対象項目名】００７２
【補正方法】変更
【補正の内容】
【００７２】
なお、経路制御装置ＭＭＥ／ＳＡＥ  Ｇａｔｅｗａｙは、ハンドオーバ先の無線基地局Ｔａｒｇｅｔ  ｅＮＢから送信された「Ｐａｔｈ  Ｓｗｉｔｃｈ」メッセージを受信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替える。
【手続補正１２】
【補正対象書類名】明細書
【補正対象項目名】００７３
【補正方法】変更
【補正の内容】
【００７３】
また、経路制御装置ＭＭＥ／ＳＡＥ  Ｇａｔｅｗａｙは、ハンドオーバ先の無線基地局Ｔａｒｇｅｔ  ｅＮＢに「Ｐａｔｈ  Ｓｗｉｔｃｈ  Ａｃｋ」メッセージを送信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替えるように構成されていてもよい。
【手続補正１３】
【補正対象書類名】明細書
【補正対象項目名】００７４
【補正方法】変更
【補正の内容】
【００７４】
上述のように、経路制御装置ＭＭＥ／ＳＡＥ  Ｇａｔｅｗａｙが、ハンドオーバ先の無線基地局Ｔａｒｇｅｔ  ｅＮＢから送信された「Ｐａｔｈ  Ｓｗｉｔｃｈ  メッセージ」を受信した場合或いは「Ｐａｔｈ  Ｓｗｉｔｃｈ  Ａｃｋ」メッセージを送信した場合に、移動局ＵＥ宛てのユーザデータＢ（第２のユーザデータ）をハンドオーバ先の無線基地局Ｔａｒｇｅｔ  ｅＮＢに送信する可能性があるので、経路制御装置ＭＭＥ/ＳＡＥ  Ｇａｔｅｗａｙに対して「Ｐａｔｈ  Ｓｗｉｔｃｈ」メッセージが送信されたこと或いは「Ｐａｔｈ  Ｓｗｉｔｃｈ  Ａｃｋ」メッセージが受信されたことを契機として、ハンドオーバ先の無線基地局Ｔａｒｇｅｔ  ｅＮＢは、経路制御装置ＭＭＥ/ＳＡＥ  ＧａｔｅｗａｙからのユーザデータＢ（第２のユーザデータ）を一時的にバッファリングできる状態に遷移する必要がある。
【手続補正１４】
【補正対象書類名】図面
【補正対象項目名】図３
【補正方法】変更
【補正の内容】
【図３】
2008236269.tif 000001
【手続補正１５】
【補正対象書類名】図面
【補正対象項目名】図４
【補正方法】変更
【補正の内容】
【図４】
2008236269.tif 000002
【手続補正１６】
【補正対象書類名】図面
【補正対象項目名】図５
【補正方法】変更
【補正の内容】
【図５】
2008236269.tif 000003